【事件の表示】
　平成５年特許願第１６９９６８号「タッチパネル表示装置」拒絶査定不服審判事件〔平成７年１月３１日出願公開、特開平７−２９４４７号〕について、次のとおり審決する。
【結　論】
　本件審判の請求は、成り立たない。
【理　由】
１　手続の経緯・本願発明
　本願は、平成５年７月９日付けの特許出願であって、平成１４年３月８日付けで拒絶査定され、これに対して平成１４年５月２日付けで審判請求がなされ、平成１７年３月７日付けで当審における拒絶の理由が通知され、平成１７年５月１２日付けで手続補正書が提出されたものである。
　その請求項１に係る発明は、上記手続補正書により補正された明細書および図面の記載からみて、特許請求の範囲の請求項１に記載されたとおりの次のもの（以下、「本願発明」という。）と認める。
　
　「設定可能な輝度を段階的に示す複数のサンプル画像を表示する表示器（１２）と、前記表示器（１２）の表示面上に配設されており、複数のスイッチ部を具えたタッチパネルスイッチ（１１）と、前記複数のスイッチ部の何れかが押されると、押されたスイッチ部に応じて、前記表示器（１２）の点灯周期を決定するプリセットデータを出力する輝度調整手段（２）と、前記プリセットデータに対応した周期の同期信号を前記表示器（１２）へ出力する表示器制御手段（５）とを具えており、前記複数のサンプル画像の各々は、同じ大きさの矩形の領域にて、輝度を視覚的に示しており、前記複数のスイッチ部の各々は、前記複数のサンプル画像の何れかを覆うように配置されており、前記複数のスイッチ部の何れかが押されると、そのスイッチ部の下に配置されたサンプル画像が示す輝度に、前記表示器（１２）の輝度が設定されるタッチパネル表示装置。」
　　
２　引用刊行物に記載された発明　
　これに対して、当審における拒絶の理由に引用した、本願出願前の平成５年２月５日に頒布された刊行物（特開平５−２７７２４号公報）には、図１〜８とともに、以下の事項が記載されている。
（ａ）「本発明は、積層配置された座標検出装置の機能を用いて表示画面の調整を可能にした座標検出装置付表示装置に関する。
　図２は従来のこの種の表示装置の一例を示すものである。表示装置２は、いわゆるフラットパネルディスプレイ装置であり、液晶ディスプレイ装置、プラズマディスプレイ装置等を含むものである。」（段落【０００１】〜【０００２】）
　
（ｂ）「透明タブレットやタッチパネルを使用し、表示装置の上部に積層配置することは可能である。・・・（中略）・・・
　座標指示器３はいわゆる電子ペン、スタイラスペンと呼ばれるものであり、一般に座標検出装置４の座標入力に用いられるものである。タッチパネル使用時には装置使用者の指がこれに代わることとなる。」（段落【０００４】〜【０００５】）
　
（ｃ）「本発明は、前記諸問題を解決し、可変抵抗器の機械的操作をせずに、電子ペン等の座標指示器の操作のみにより、リアルタイムで、表示装置の表示画面の調整を行える座標検出装置付表示装置を提供することを目的とする。」（段落【００１４】）
　
（ｄ）「図１は、本発明の第１の実施例、すなわち、座標検出装置を制御するＣＰＵによって表示装置用電源回路を制御する例を示すブロック図である。図中、従来例と同一構成部分は同一符号をもって表す。すなわち、表示装置用電源回路１が表示装置２に電源を与える回路であること、表示装置２が液晶ディスプレイ等の表示装置であること、座標指示器３がいわゆる電子ペン、スタイラスペン等と呼ばれる入力ペン等であること、座標検出装置４がタブレット、デジタイザ等と呼ばれるＸＹ座標検出装置であること等は従来の技術の項で説明したのと同様である。
　座標検出装置４が透明なタブレットやタッチパネル等である場合は表示装置２の上部に積層配置されることができ、読み取り高さの高くとれるタブレット等は表示装置２の下部に積層配置されることができるのもまた従来例と同様である。
　従来例と異なる点は、座標検出装置４を制御するＣＰＵ６により、電源コントローラ５を制御し、それにより表示装置用電源回路１ひいては表示装置２の表示画面のコントラスト等を制御することにある。ここに電源コントローラ５は、デジタルで書き込まれる調整値をアナログ変換し表示装置用電源回路１を制御するデジタルアナログ変換回路である。」（段落【００３３】〜【００３５】）
　
（ｅ）「メニュー領域とは、座標検出装置４に表示装置２の表示画面の調整値を座標指示器３で入力可能な二次元領域であり、座標指示器３をその領域内で操作することにより、調整値の入力が可能となる領域をいう。」（段落【００３６】）　
　
（ｆ）「メニュー領域上で、その調整値が座標指示器３により座標検出装置４に入力されると、ＣＰＵ６は、ＲＯＭ７に書き込まれているプログラムの命令により、電源コントローラ５に調整値を書き込む。電源コントローラ５は、デジタルで書き込まれる調整値をアナログ変換し表示装置用電源回路１を制御する。これにより、表示装置２のコントラスト等の調整が実現されることとなる。」（段落【００３７】）
　
（ｇ）「図７は本発明を用いて表示装置の調整を行う際のメニュー領域の表示を行う一例を示すものである。図中（ａ）は、表示装置５５の表示画面上にコントラスト調整のための調整値入力が可能な座標検出装置の領域を表示したものである。座標指示器５４を表示された領域上に置き、コントラストの調整値を入力すると前述したように、表示画面のコントラストがリアルタイムで変化し、調整の結果を確認しつつ調整値が設定されることとなる。
　図中（ａ）に示すように画面中央にメニュー領域を表示するのは、メニュー画面を呼び出した上でなされることとなるが、画面の片隅に絶えずメニュー領域を表示しておき、メニュー画面の呼び出しをせずに他の操作をしている中途において、コントラスト調整等をすることを可能にする他の実施例も可能である。」（段落【００５６】〜【００５７】）
　
（ｈ）【図７】（ａ）には、表示装置のメニュー領域に、コントラストの調整値を段階的かつ視覚的に示す画像を表示したことが示されている。　
　
　上記記載事項（ａ）〜（ｇ）および図示内容（ｈ）を総合すると、上記刊行物には、表示装置に関し、「設定可能なコントラストの調整値を段階的に示す画像をメニュー領域に表示する表示装置と、表示装置の表示画面の上部に積層配置されたタッチパネルと、上記調整値が座標指示器によりメニュー領域上部に存在するタッチパネルの一部分に入力されると、その調整値を出力するＣＰＵと、デジタルで書き込まれる調整値をアナログ変換し表示装置用電源回路を制御する電源コントローラとを具えており、前記画像はコントラストの調整値を段階的かつ視覚的に示しており、メニュー領域上部に存在するタッチパネルの一部分は前記画像の上部に設けられており、当該タッチパネルの一部分が操作されると、表示装置のコントラストが設定されるタッチパネルを有する表示装置」の発明（以下「引用発明」という。）が記載されているものと認められる。
　
３　対比・判断
　本願発明と引用発明とを対比すると、その構造、機能ないし作用からみて、後者の「表示装置」は前者の「表示器」に相当し、以下同様に後者の「表示画面の上部」は前者の「表示面上」に、後者の「積層配置」は前者の「配設」に、後者の「タッチパネル」は前者の「タッチパネルスイッチ」に、後者の「メニュー領域上部に存在するタッチパネルの一部分」は前者の「スイッチ部」に、後者の「上部に設けられ」は前者の「覆うように配置され」に、後者の「タッチパネルを有する表示装置」は前者の「タッチパネル表示装置」に、それぞれ相当する。
　後者の「コントラストの調整値」と前者の「輝度」とはいずれも「表示器のパラメータ」という点で、また後者の「調整値が座標指示器によりメニュー領域上部に存在するタッチパネルの一部分に入力されると、その調整値を出力するＣＰＵと、デジタルで書き込まれる調整値をアナログ変換し表示装置用電源回路を制御する電源コントローラ」と前者の「前記複数のスイッチ部の何れかが押されると、押されたスイッチ部に応じて、前記表示器（１２）の点灯周期を決定するプリセットデータを出力する輝度調整手段（２）と、前記プリセットデータに対応した周期の同期信号を前記表示器（１２）へ出力する表示器制御手段（５）」とはいずれも「スイッチ部が操作されると、その操作に応じて表示器のパラメータが決定され、出力される表示器のパラメータ調整手段」という点で、後者の「タッチパネルの一部分が操作されると、表示装置のコントラストが設定される」と前者の「複数のスイッチ部の何れかが押されると、そのスイッチ部の下に配置されたサンプル画像が示す輝度に、前記表示器（１２）の輝度が設定される」とはいずれも「スイッチ部が操作されると、その操作に応じて前記表示器のパラメータが設定される」という点で、それぞれ共通する。
　
　そうすると、両者は「設定可能な表示器のパラメータを段階的に示す画像を表示する表示器と、表示器の表示面上に配設されており、スイッチ部を具えたタッチパネルスイッチと、スイッチ部が操作されると、その操作に応じて表示器のパラメータが決定され、出力される表示器のパラメータ調整手段とを具えており、前記画像は表示器のパラメータを視覚的に示しており、前記スイッチ部は画像を覆うように配置されており、前記スイッチ部が操作されると、その操作に応じて前記表示器のパラメータが設定されるタッチパネル表示装置。」である点で一致し、以下の点で相違する。
　
【相違点１】
　設定可能な表示器のパラメータに関し、本願発明では「輝度」であるのに対し、引用発明では「コントラストの調整値」である点。
　
【相違点２】
　表示器のパラメータ調整手段に関し、本願発明では「表示器の点灯周期」により輝度を調整する方式であり、点灯周期を決定するプリセットデータを出力する輝度調整手段と、プリセットデータに対応した周期の同期信号を表示器へ出力する表示器制御手段とを具えるのに対し、引用発明では指示された調整値を出力するＣＰＵと、デジタルで書き込まれる調整値をアナログ変換し表示装置用電源回路を制御する電源コントローラとを具える点。
　
【相違点３】
　表示器に表示される画像及びタッチパネルスイッチのスイッチ部の構成と、それらとパラメータとの関係について、本願発明では「複数のサンプル画像」と「複数のスイッチ部を具え」、「前記複数のサンプル画像の各々は、同じ大きさの矩形の領域にて、輝度を視覚的に示しており、前記複数のスイッチ部の各々は、前記複数のサンプル画像の何れかを覆うように配置されており、前記複数のスイッチ部の何れかが押されると、そのスイッチ部の下に配置されたサンプル画像が示す輝度に、前記表示器の輝度が設定される」のに対し、引用発明ではそのような構成を備えていない点。
　
（相違点１の検討）
　まず、相違点１について検討すると、上述のように「輝度」も「コントラストの調整値」も表示器のパラメータである点で共通し、そして例えば、コンピュータディスプレイやテレビなどにおいてユーザーが調整可能なパラメータとしていずれもごく普通に採用されているものであるし、さらにコントラストとは明表示の輝度と暗表示の輝度との比を指すものであって、結局、「コントラストの調整値」も「輝度」に関わるパラメータということができる。
　してみると、引用発明において設定可能な表示器のパラメータとして「コントラストの調整値」に代えて「輝度」を採用することは当業者にとって容易といえる。
　
（相違点２の検討）　
　つぎに相違点２について検討すると、すでに検討した相違点１のように表示器の設定可能なパラメータとして輝度を採用した場合の輝度制御方式として、点灯周期を変化させる方式は本願出願前に周知の技術（以下、「周知技術１」という。；例えば、当審における拒絶の理由に引用した刊行物２（特開平５−１５０７４３号公報）の段落【０００２】、【０００３】、【００５４】等を参照。）である。そして、表示器のパラメータを制御するにあたり、パラメータを決定するプリセットデータを出力する手段と、プリセットデータに対応したパラメータを変更するための信号を表示器に出力する手段とを具えることは常とう手段（例えば、特開平５−１６５４４８号公報の【従来の技術】の記載を参照。）ということができるし、表示器の輝度制御方式として点灯周期を変化させる方式を採用した場合におけるパラメータを変更するための信号は、表示の点灯周期を変更するための同期信号とすべきことも技術常識といえる。
　してみると、引用発明に周知技術１及び常とう手段を採用して、相違点２に係る本願発明の構成とすることは当業者が容易に想到できたことといえる。
　
（相違点３の検討）　
　さらに相違点３について検討すると、この種の表示装置のパラメータ設定手段において、複数のサンプル画像と複数のスイッチ部を具え、複数のサンプル画像の各々は、同じ大きさの矩形の領域にて、パラメータを視覚的に示しており、複数のスイッチ部の各々は、複数のサンプル画像の何れかを覆うように配置されており、複数のスイッチ部の何れかが押されると、そのスイッチ部の下に配置されたサンプル画像が示すパラメータに、表示器のパラメータが設定されるようにした点は、本願出願前に周知の技術（以下、「周知技術２」という。；例えば、特開平５−１６５４４８号公報、特開平５−１６５９３６号公報を参照。）である。
　してみると、引用発明の表示器上に表示される画像、スイッチ部の構成と、その両者ないしパラメータの関係として、引用発明と技術分野を同じくする周知技術２を採用して相違点３の構成とすることは、当業者にとって容易に想到することができたことというべきである。
　
　そして、本願発明の効果をみても、引用発明や上記周知技術１，２等からみて当業者が当然に想定できる範囲内のものであって、格別のものということはできない。
　したがって、本願発明は、引用発明及び上記周知技術１，２等に基づいて当業者が容易に想到することができたものである。
　
４　むすび
　以上のように、本願発明は、引用発明及び周知技術１，２等に基づいて当業者が容易に発明をすることができたものであるから、特許法２９条２項の規定により特許を受けることができない。